(57)【要約】      （修正有）【課題】自分の手荷物を効率的に受け取る仕組みを提供する。【解決手段】荷物１０５が搬出される搬出路（レーン１０４）を撮影する複数の撮影装置（ネットワークカメラ１０２）と通信可能な情報処理装置１０１であって、撮影装置により撮影された画像を解析することで、搬出路上の荷物を認識し、認識した荷物の持ち主に対して、搬出路上で認識された荷物の個数と、まだ搬出路上で認識されていない荷物の個数とを通知する。【選択図】図１
2018136948.tif 000002
【特許請求の範囲】
【請求項１】
荷物が搬出される搬出路を撮影する複数の撮影装置と通信可能な情報処理装置であって、
荷物とその持ち主である搭乗者とを対応付けて記憶する記憶手段と、
前記撮影装置により撮影された画像を取得する画像取得手段と、
前記画像取得手段により取得された画像を解析することで、前記搬出路上の荷物を認識する認識手段と、
前記持ち主に対応付けられた荷物のうち、搬出路上で認識された荷物の個数と、まだ搬出路上で認識されていない荷物の個数とを、当該持ち主に対して通知する通知手段と、
を備えることを特徴とする情報処理装置。
【請求項２】
前記通知手段は、さらに、
前記搬出路上の複数の荷物をすべて取るのに要する時間を通知することを特徴とする請求項１に記載の情報処理装置。
【請求項３】
前記搬出路上の複数の荷物におけるそれぞれの荷物の間隔を算出する荷物間隔算出手段をさらに備え、
前記通知手段は、
前記荷物間隔算出手段により算出された荷物の間隔に基づき、いずれの荷物から取れば効率的に全ての荷物を取ることができるかを認識可能に通知することを特徴とする請求項１または２に記載の情報処理装置。
【請求項４】
前記画像取得手段により取得した画像を撮影した撮影装置を識別する撮影装置識別手段と、
前記撮影装置識別手段により識別された撮影装置に基づき、当該撮影装置により撮影された画像に含まれる荷物の位置を特定する位置特定手段と、
前記画像取得手段により取得した画像に基づき、搬出路から荷物が取られたかを判定する判定手段をさらに備え、
前記位置特定手段は、さらに、
前記撮影装置識別手段により識別された撮影装置と、前記画像取得手段により取得した画像に基づき、荷物が取られた位置を特定することを特徴とし、
前記搬出路が荷物を搬出する速度と、現時点の荷物の位置とに基づき、前記位置特定手段により特定された荷物が取られた位置に、他の荷物が到達するまでの時間を算出する到達時間算出手段をさらに備え、
前記通知手段は、さらに、前記到達時間算出手段により算出された時間を通知することを特徴とする請求項１乃至３のいずれか１項に記載の情報処理装置。
【請求項５】
前記荷物が取られた区間の次の区間において、当該取られた荷物と同一の持ち主の荷物が認識された場合、当該持ち主に対して、取り逃した荷物がある旨の通知をすることを特徴とする請求項４に記載の情報処理装置。
【請求項６】
前記通知手段は、さらに、
前記持ち主に対応付けられた全ての荷物が取られた場合にその旨の当該持ち主に対して通知することを特徴とする請求項１乃至５のいずれか１項に記載の情報処理装置。
【請求項７】
荷物が搬出される搬出路を撮影する複数の撮影装置と通信可能な情報処理装置であって、荷物とその持ち主である搭乗者とを対応付けて記憶する情報処理装置における情報処理方法であって、
前記情報処理装置の画像取得手段が、前記撮影装置により撮影された画像を取得する画像取得工程と、
前記情報処理装置の認識手段が、前記画像取得工程により取得された画像を解析することで、前記搬出路上の荷物を認識する認識工程と、
前記情報処理装置の通知手段が、前記持ち主に対応付けられた荷物のうち、搬出路上で認識された荷物の個数と、まだ搬出路上で認識されていない荷物の個数とを、当該持ち主に対して通知する通知工程と、
を備えることを特徴とする情報処理方法。
【請求項８】
荷物が搬出される搬出路を撮影する複数の撮影装置と通信可能な情報処理装置であって、荷物とその持ち主である搭乗者とを対応付けて記憶する情報処理装置において実行可能なプログラムであって、
前記情報処理装置を、
前記撮影装置により撮影された画像を取得する画像取得手段と、
前記画像取得手段により取得された画像を解析することで、前記搬出路上の荷物を認識する認識手段と、
前記持ち主に対応付けられた荷物のうち、搬出路上で認識された荷物の個数と、まだ搬出路上で認識されていない荷物の個数とを、当該持ち主に対して通知する通知手段として機能させることを特徴とするプログラム。
【発明の詳細な説明】
【技術分野】
【０００１】
本発明は、情報処理装置、情報処理方法、プログラムに関する。
【背景技術】
【０００２】
空港において預けた手荷物は、到着した空港でベルトコンベア等の搬出路に乗せられる。搭乗客は、ベルトコンベアに乗せられた多数の荷物の中から、自分の荷物を探し出し、受け取る。
【０００３】
また、預けた荷物には、荷物を識別する情報がタグ付けされ、それに対応する情報が搭乗客に渡される。
【０００４】
特許文献１には、荷物の搬出路上の引き取り可能位置にある手荷物についての情報を出力する仕組みについて記載がされている。
【先行技術文献】
【特許文献】
【０００５】
【特許文献１】特開平９−２４９３０９号公報
【発明の概要】
【発明が解決しようとする課題】
【０００６】
しかしながら、自分の手荷物が、いつ、どこにあるのかといった情報を提供する技術については記載がなく、自分の手荷物がいつ出てくるのか、いつ何処にあるのかといったことを把握することができず、効率的に手荷物受け取りをすることができない。
【０００７】
また、自分が複数の手荷物を管理している場合には、効率的かつ確実な手荷物受取のためにも、全ての手荷物を取り終わるまでどの程度時間がかかるのかといった情報を把握したり、全ての手荷物を取り終えたのか（取り忘れはないのか）を確認できる仕組みが求められる。
【０００８】
そこで、本発明は、自分の手荷物を効率的に受け取ることが可能な仕組みを提供することを目的とする。
【課題を解決するための手段】
【０００９】
本発明は、荷物が搬出される搬出路を撮影する複数の撮影装置と通信可能な情報処理装置であって、荷物とその持ち主である搭乗者とを対応付けて記憶する記憶手段と、前記撮影装置により撮影された画像を取得する画像取得手段と、前記画像取得手段により取得された画像を解析することで、前記搬出路上の荷物を認識する認識手段と、前記持ち主に対応付けられた荷物のうち、搬出路上で認識された荷物の個数と、まだ搬出路上で認識されていない荷物の個数とを、当該持ち主に対して通知する通知手段と、を備えることを特徴とする。
【００１０】
また、本発明は、荷物が搬出される搬出路を撮影する複数の撮影装置と通信可能な情報処理装置であって、荷物とその持ち主である搭乗者とを対応付けて記憶する情報処理装置における情報処理方法であって、前記情報処理装置の画像取得手段が、前記撮影装置により撮影された画像を取得する画像取得工程と、前記情報処理装置の認識手段が、前記画像取得工程により取得された画像を解析することで、前記搬出路上の荷物を認識する認識工程と、前記情報処理装置の通知手段が、前記持ち主に対応付けられた荷物のうち、搬出路上で認識された荷物の個数と、まだ搬出路上で認識されていない荷物の個数とを、当該持ち主に対して通知する通知工程と、を備えることを特徴とする。
【００１１】
また、本発明は、荷物が搬出される搬出路を撮影する複数の撮影装置と通信可能な情報処理装置であって、荷物とその持ち主である搭乗者とを対応付けて記憶する情報処理装置において実行可能なプログラムであって、前記情報処理装置を、前記撮影装置により撮影された画像を取得する画像取得手段と、前記画像取得手段により取得された画像を解析することで、前記搬出路上の荷物を認識する認識手段と、前記持ち主に対応付けられた荷物のうち、搬出路上で認識された荷物の個数と、まだ搬出路上で認識されていない荷物の個数とを、当該持ち主に対して通知する通知手段として機能させることを特徴とする。
【発明の効果】
【００１２】
本発明によれば、自分の手荷物を効率的に受け取ることが可能となる。
【図面の簡単な説明】
【００１３】
【図１】本発明のシステム構成を示す図。
【図２】情報処理装置１０１のハードウエア構成を示す図
【図３】画像を解析し、荷物情報を更新する処理を示すフローチャート
【図４】荷物が搬出路から取られた場合の通知処理を示すフローチャート
【図５】ユーザから荷物情報の取得要求があった場合の処理を示すフローチャート
【図６】搭乗者情報が登録された搭乗者情報テーブルの一例を示す図
【図７】荷物情報が登録された荷物情報登録テーブルの一例を示す図
【図８】カメラ情報が登録されたネットワークカメラテーブルの一例を示す図
【図９】航空便の情報が登録された便情報テーブルの一例を示す図
【図１０】搬出路の周回時間が登録されたテーブルの一例を示す図
【図１１】搬出路の周回速度が登録されたテーブルの一例を示す図
【図１２】ステップＳ３０７において表示される画面の一例を示す図
【図１３】ステップＳ２０７において搭乗者に対して送信されるメールの一例を示した図
【図１４】ステップＳ１０１において搭乗者が荷物情報の取得要求を出す際に用いられる端末１０３に表示される画面の一例を示した図
【図１５】荷物が搬出路から取られたことを示すイメージ図
【図１６】荷物が取られた位置を通知する画面の一例を示す図
【図１７】荷物の現在位置と所定時間後の位置とがマッピングされた画面の一例を示す図
【図１８】二次元コードの一例を示す図
【図１９】一人の搭乗客が複数の荷物を管理している場合の処理を示すフローチャートである
【図２０】荷物の取り逃しを検知した場合の通知処理を示すフローチャート
【図２１】搬出路に乗せられた荷物の個数と、まだ乗せられていない個数とを通知する画面の一例を示す図
【図２２】どの荷物からピックアップするのが効率的なのかを通知する画面の一例を示す図
【図２３】搬出路上のピックアップされていない荷物について受取区間に到達するまでの時間を通知する画面の一例を示す図
【図２４】受取区間を通り過ぎた荷物がある旨を通知する画面の一例を示す図
【図２５】搬出路上のピックアップされていない荷物について受取区間に到達するまでの時間を通知する画面の一例を示す図
【図２６】すべての荷物がピックアップされた場合の通知画面の一例を示す図
【発明を実施するための形態】
【００１４】
図１は、本発明の概要を示す図である。
【００１５】
本発明におけるシステムは、情報処理装置１０１、ネットワークカメラ１０２、端末１０３から構成される。
【００１６】
情報処理装置１０１は、ネットワークカメラ１０２と端末１０３のそれぞれと通信可能に接続されている。
【００１７】
また、荷物１０５を乗せて運ぶレーン（搬出路）１０４があり、レーン１０４に乗せられた荷物１０５を、ネットワークカメラ１０２が撮影する。荷物１０５には、それぞれ二次元コード１０６が貼付されているものとする。二次元コードについては、図１８を用いて説明する。
図１８は、二次元コードの一例を示す図である。
【００１８】
二次元コードとは、例えば特開２００９−７８９７３号公報にあるように、複数種類のセルが配列されて構成されるコードのことをいう。特開２００９−７８９７３号公報に記載された二次元コードは、静止画中に当該二次元コードが含まれている場合、当該二次元コードのＩＤ（識別情報）と、当該二次元コードの静止画中の位置（座標）とが取得されるという特徴を有するものである。
【００１９】
なお、二次元コードについては、一度に複数のコードを認識できるものであればいずれでもよい。
【００２０】
図２を用いて、図１に示した情報処理装置１０１のハードウエア構成の一例について説明する。
【００２１】
図２において、２０１はＣＰＵで、システムバス２０４に接続される各デバイスやコントローラを統括的に制御する。また、ＲＯＭ２０３あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な各種プログラム等が記憶されている。
【００２２】
２０２はＲＡＭで、ＣＰＵ２０１の主メモリ、ワークエリア等として機能する。ＣＰＵ２０１は、処理の実行に際して必要なプログラム等をＲＯＭ２０３あるいは外部メモリ２１１からＲＡＭ２０２にロードして、該ロードしたプログラムを実行することで各種動作を実現するものである。
【００２３】
また、２０５は入力コントローラで、入力装置２０９等からの入力を制御する。２０６はビデオコントローラで、液晶ディスプレイ等のディスプレイ装置２１０への表示を制御する。なお、ディスプレイ装置は、液晶ディスプレイに限られず、ＣＲＴディスプレイなどであっても良い。これらは必要に応じてクライアントが使用するものである。
【００２４】
２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２５】
２０８は通信Ｉ／Ｆコントローラで、ネットワーク（例えば、図１に示したＬＡＮ４００）を介して外部機器と接続・通信するものであり、ネットワークでの通信制御処理を実行する。例えば、ＴＣＰ／ＩＰを用いた通信等が可能である。
【００２６】
なお、ＣＰＵ２０１は、例えばＲＡＭ２０２内の表示情報用領域へアウトラインフォントの展開（ラスタライズ）処理を実行することにより、ディスプレイ装置２１０上での表示を可能としている。また、ＣＰＵ２０１は、ディスプレイ装置２１０上の不図示のマウスカーソル等でのユーザ指示を可能とする。
【００２７】
ハードウエア上で動作する各種プログラムは、外部メモリ２１１に記録されており、必要に応じてＲＡＭ２０２にロードされることによりＣＰＵ２０１によって実行されるものである。
【００２８】
なお、全ての装置がこれらの構成を備えているわけではなく、必要なものを備えていればよい。
【００２９】
次に、図３に示すフローチャートを用いて、ネットワークカメラ１０２によって撮影された画像を解析し、荷物情報を更新する処理について説明する。
【００３０】
なお、図３のフローチャートに示す処理は、情報処理装置１０１のＣＰＵ２０１が所定の制御プログラムを読み出して実行する処理である。
【００３１】
ステップＳ１０１では、情報処理装置１０１のＣＰＵ２０１は、ネットワークカメラ１０２から画像を取得し、取得した画像から二次元コードを検出する。
【００３２】
ステップＳ１０２では、情報処理装置１０１のＣＰＵ２０１は、ステップＳ１０１で検出した二次元コードのＩＤを取得する。
【００３３】
ステップＳ１０３では、情報処理装置１０１のＣＰＵ２０１は、ステップＳ１０２で取得した二次元コードＩＤに基づき、図７の荷物情報テーブルから当該ＩＤに対応する荷物情報を取得する。
【００３４】
例えば、ステップＳ１０２で取得した二次元コードＩＤが「３０１」である場合、当該ＩＤに対応する荷物情報は、７０１で示すレコードである。
【００３５】
ステップＳ１０４では、情報処理装置１０１のＣＰＵ２０１は、ステップＳ１０３で取得した荷物情報について、撮影フラグの項目が「１」であるかを判断する。撮影フラグの項目は、すでに他のカメラ等で当該荷物を撮影済みである（すでに当該荷物の二次元コードを検出済みである）場合には、「１」が登録され、今回の検出が初めての検出である場合は「０」が登録されている項目である。
【００３６】
なお、撮影済みであるか否かの判断は、撮影フラグではなく、Ｘ座標、Ｙ座標の項目に値が登録されているか否かによって判断しても良い。Ｘ座標、Ｙ座標の項目は、撮影された画像において二次元コードが映っている位置を示す情報であり、撮影される度に登録・更新されるものである。
【００３７】
撮影フラグが１である場合（ステップＳ１０４：ＹＥＳ）は、処理をステップＳ１１１に移行する。
【００３８】
撮影フラグが０である場合（ステップＳ１０４：ＮＯ）は、処理をステップＳ１０５に移行する。
【００３９】
ステップＳ１０５では、情報処理装置１０１のＣＰＵ２０１は、ステップＳ１０１で受信した画像の送信元であるカメラのＩＰアドレスを取得する。
【００４０】
ステップＳ１０６では、情報処理装置１０１のＣＰＵ２０１は、ステップＳ１０５で取得したＩＰアドレスの情報から、カメラを特定する。
【００４１】
カメラ情報については、図８に示すカメラ情報テーブルに、カメラＩＤ、ＩＰアドレスなどが登録されている。このカメラ情報テーブルを用いて、カメラを特定する。
【００４２】
ステップＳ１０７では、情報処理装置１０１のＣＰＵ２０１はステップＳ１０６で特定されたカメラが、レーンの最初のネットワークカメラ１０２であるかを判断する。
【００４３】
最初のカメラであるか否かは、図８に示すカメラ情報テーブルの「最初」項目に、１が設定されているか否かにより判断する。図８の例では、１が設定されているカメラがレーンの最初のネットワークカメラであることを意味している。
【００４４】
最初のネットワークカメラである場合（ステップＳ１０７：ＹＥＳ）は、処理をステップＳ１０８に移行する。
【００４５】
最初のネットワークカメラではない場合（ステップＳ１０７：ＮＯ）は、処理をステップＳ１１３に移行する。
【００４６】
ステップＳ１０８では、情報処理装置１０１のＣＰＵ２０１は、ステップＳ１０３で取得した荷物情報から搭乗者コードを取得する。
【００４７】
ステップＳ１０９では、情報処理装置１０１のＣＰＵ２０１は、ステップＳ１０８で取得した搭乗者コードに対応付けられたメールアドレスを取得する。
【００４８】
メールアドレスは、図６に示す搭乗者情報テーブルに登録されているものとする。
【００４９】
ステップＳ１１０では、情報処理装置１０１のＣＰＵ２０１は、ステップＳ１０９で取得したメールアドレスに対して、荷物がレーンに乗って出てくる旨のメールを送信する。
【００５０】
このように、レーンの最初の位置に設置されたカメラによって初めて荷物が撮影された場合にメールにて荷物が出てくる旨の通知を出すことで、搭乗者に対して荷物が受け取り可能になったことを知らせることが可能となる。すなわち、当該通知がなされるまでは、搭乗者はレーンの近くで待機している必要がなく、通知がなされてからレーンに向かい荷物を取りに行けばよいため、効率的に行動することが可能となる。
【００５１】
ステップＳ１１１では、情報処理装置１０１のＣＰＵ２０１は、ステップＳ１０１で受信した画像の送信元であるカメラのＩＰアドレスを取得する。
【００５２】
ステップＳ１１２では、情報処理装置１０１のＣＰＵ２０１は、ステップＳ１０５で取得したＩＰアドレスの情報から、カメラを特定する。
【００５３】
カメラ情報については、図８に示すカメラ情報テーブルに、カメラＩＤ、ＩＰアドレスなどが登録されている。このカメラ情報テーブルを用いて、カメラを特定する。
【００５４】
ステップＳ１１３では、情報処理装置１０１のＣＰＵ２０１は、ステップＳ１０６、Ｓ１１２で特定したカメラＩＤと図８に示すカメラ情報テーブルとに基づき、当該特定されたカメラの次のカメラのＩＤを取得する。
【００５５】
例えば、図８の例では、カメラＩＤ：Ａ１のカメラの次のカメラは、カメラＩＤ：Ａ２となる。
【００５６】
ステップＳ１１４では、情報処理装置１０１のＣＰＵ２０１は、ステップＳ１１３で特定された次のカメラまでの時間を図８のカメラ情報テーブルから取得し、当該取得した時間と現在時刻とに基づき、当該次のカメラに荷物が到達する時刻を算出する。
【００５７】
ステップＳ１１５では、情報処理装置１０１のＣＰＵ２０１は、荷物情報テーブルの次のカメラＩＤと、次のカメラに到達する時刻と、撮影フラグと、Ｘ座標・Ｙ座標とを更新する。
【００５８】
以上の処理を、画像に含まれる全ての二次元コードに対して実行する。
【００５９】
次に図４のフローチャートを用いて、荷物がレーンから取られた場合の通知処理について説明する。
【００６０】
ステップＳ２０１では、情報処理装置１０１のＣＰＵ２０１は、図７に示す荷物情報のうち、撮影済みかつ荷物有（レーン上に荷物が有る）のレコードを取得する。
【００６１】
撮影済みか否かは、荷物情報テーブルにおける撮影フラグやＸ座標・Ｙ座標の項目に登録された情報から判断する。荷物の有無については、「有無」の項目に登録された情報から判断する。
【００６２】
そして、取得したレコードの全てに対して、ステップＳ２０３〜Ｓ２０８の処理を実行する（Ｓ２０２、Ｓ２０９）。
【００６３】
ステップＳ２０３では、情報処理装置１０１のＣＰＵ２０１は、処理対象のレコード（荷物情報）について、次のカメラまでに到達する時刻（次カメラ到達時刻）を取得する。
【００６４】
ステップＳ２０４では、情報処理装置１０１のＣＰＵ２０１は、ステップＳ２０３で取得した時刻と現在時刻とを比較し、現在時刻が到達時刻を過ぎているか否かを判断する。
【００６５】
到達時刻を過ぎている場合（ステップＳ２０４：ＹＥＳ）は、処理をステップＳ２０５に移行する。
【００６６】
到達時刻を過ぎていない場合（ステップＳ２０４：ＮＯ）は、次の荷物情報（レコード）に対して、Ｓ２０３〜Ｓ２０８の処理を実行する（Ｓ２０９、Ｓ２０２）。
【００６７】
すなわち、本来は次のカメラに到達している時刻であり、当該次のカメラによって撮影がなされるはずであるのに、まだ撮影されていない場合（ステップＳ２０４：ＹＥＳ）は、荷物がレーンから取られた（持ち出された）場合であるといえる。その場合には、ステップＳ２０５以降の処理を実行する。
【００６８】
他方、到達時刻が到来していない場合（ステップＳ２０４：ＮＯ）は、まだ荷物がレーンから取られたか否かを判定できないため、次の荷物に対する処理に移行する。なお、本フローチャートに示す処理は、常に繰り返し実行されるものとする。
【００６９】
ステップＳ２０５では、情報処理装置１０１のＣＰＵ２０１は、処理対象の荷物情報から搭乗者ＩＤを取得する。
【００７０】
ステップＳ２０６では、情報処理装置１０１のＣＰＵ２０１は、ステップＳ２０５で取得した搭乗者ＩＤに対応付けられたメールアドレスを、図６の搭乗者情報から取得する。
【００７１】
ステップＳ２０７では、情報処理装置１０１のＣＰＵ２０１は、ステップＳ２０６で取得したメールアドレスに対して、荷物の取られた旨のメールを送信する。メールの一例を図１３に示す。
【００７２】
このように、次のカメラに荷物が到達する（次のカメラによって撮影される）予定時刻になっても、荷物が撮影されない場合（Ｓ１１４において図７の荷物情報テーブルが更新されない場合）には、レーンの上から荷物が取られているものと言える。そして、搭乗者（荷物の持ち主）に対して荷物が取られたことを通知することで、「自分で荷物を取っていないのに通知がなされた＝荷物が他人に持っていかれた」ということを認識することが可能となる。
【００７３】
ステップＳ２０８では、情報処理装置１０１のＣＰＵ２０１は、処理対象の荷物情報について、荷物の有無情報を更新し、取られた区間の情報を追加登録する。
【００７４】
取られた区間は、どのカメラとどのカメラの間の区間で荷物が取られたかを示す情報である。
【００７５】
例えば、次カメラがＡ２として設定されていた荷物情報について、到達時刻になってもＡ２カメラによって撮影されなかった場合は、Ａ１カメラとＡ２カメラの間の区間で取られたと判断される。
以上の処理を実行し、次の荷物情報に対する処理を進める。
【００７６】
次に図５のフローチャートを用いて、ユーザ（搭乗者、荷物の持ち主）により荷物情報の取得要求があった場合の処理について説明する。
【００７７】
ステップＳ３０１では、情報処理装置１０１のＣＰＵ２０１は、荷物情報の取得要求に基づき、取得要求をした搭乗者のＩＤを取得する。例えばリクエスト情報に含まれる情報から、ＩＤを取得する。
【００７８】
取得要求は、例えば図１４に示す画面を介して行う。図１４に示す画面については、後述する。
【００７９】
ステップＳ３０２では、情報処理装置１０１のＣＰＵ２０１は、ステップＳ３０１で取得した搭乗者ＩＤにより識別される搭乗者情報を図６に示すテーブルから取得する。
【００８０】
ステップＳ３０３では、情報処理装置１０１のＣＰＵ２０１は、ステップＳ３０１で取得した搭乗者ＩＤに対応する荷物コードを、図６のテーブルから取得し、当該荷物コードにかかる荷物情報を荷物情報テーブル（図７）から取得する。複数の荷物情報が該当する場合は、当該複数の荷物情報を取得する。
【００８１】
ステップＳ３０３−２では、情報処理装置１０１のＣＰＵ２０１は、図６において荷物コードが複数登録されているかを判断する。
【００８２】
複数登録されている場合（ステップＳ３０３−２：ＹＥＳ）は、処理を図１９のフローチャートの処理に移行する。図１９のフローチャートで示す処理については、後述する。
【００８３】
複数ではない場合（ステップＳ３０３−２：ＮＯ）は、処理をステップＳ３０４に移行する。
【００８４】
ステップＳ３０４では、情報処理装置１０１のＣＰＵ２０１は、ステップＳ３０３で取得した荷物情報の撮影フラグまたはＸ座標・Ｙ座標を確認し、撮影済みの荷物であるか否かを判断する。
【００８５】
撮影済みである場合（ステップＳ３０４：ＹＥＳ）は、処理をステップＳ３０８に移行する。
【００８６】
撮影済みでない場合（ステップＳ３０４：ＮＯ）は、処理をステップＳ３０５に移行する。
【００８７】
ステップＳ３０５では、情報処理装置１０１のＣＰＵ２０１は、ステップＳ３０２で取得した搭乗者情報から、当該搭乗者が搭乗した便ＩＤを取得する。
【００８８】
ステップＳ３０６では、情報処理装置１０１のＣＰＵ２０１は、ステップＳ３０５で取得した搭乗便のＩＤに基づき、図９に示す搭乗便情報テーブルから、搭乗便情報を取得する。
【００８９】
ステップＳ３０７では、情報処理装置１０１のＣＰＵ２０１は、荷物準備中の旨を通知する画面（図１２）を作成し、情報取得要求をした搭乗者に対して通知する。
【００９０】
このように、まだ荷物がレーンに載せられていない時点では、準備中である旨を通知することで、搭乗者は、まだ荷物を取りに行かなくても良いということを認識することができる。
【００９１】
また、荷物の搬送が開始されたら通知する依頼をすることで、搭乗者は、荷物の準備が完了するまで他の作業をすることも可能となり、通知があったら荷物を取りに行けばよいため、効率的な荷物の受け取りが可能となる。
【００９２】
次にステップＳ３０４でＮＯと判断された場合の処理について説明する。
【００９３】
ステップＳ３０８では、情報処理装置１０１のＣＰＵ２０１は、ステップＳ３０３で取得した荷物情報の荷物の有無が、有であるか否かを判断する。すなわち、荷物が取られているか否かを判断する。
【００９４】
荷物がレーン上にある場合（ステップＳ３０８：ＹＥＳ）は、処理をステップＳ３０９に移行する。
【００９５】
荷物がすでに取られている場合（ステップＳ３０８：ＮＯ）は、処理をステップＳ３１５に移行する。
【００９６】
ステップＳ３０９では、情報処理装置１０１のＣＰＵ２０１は、搭乗者から荷物情報の取得要求があった時刻と、最後に当該荷物をカメラにより認識した時刻との時間差を算出する。
【００９７】
ステップＳ３１０では、情報処理装置１０１のＣＰＵ２０１は、ステップＳ３０９で算出した時間差と、レーンの速さとから、荷物の現在位置を特定するする。
【００９８】
ステップＳ３１１では、情報処理装置１０１のＣＰＵ２０１は、現在の荷物の位置と、レーンの速さとから、所定時間後の荷物の位置（例えば１０分後、２０分後などの位置）を特定する。
【００９９】
ステップＳ３１２では、情報処理装置１０１のＣＰＵ２０１は、ステップＳ３１１で特定した所定時間後の荷物の位置に、１周あたりの時間を追加することで、２周目、３周目における当該位置に到達する時間を算出する。
【０１００】
ステップＳ３１３では、情報処理装置１０１のＣＰＵ２０１は、ステップＳ３１０、Ｓ３１１、Ｓ３１２で算出した情報をマッピングしたマップを作成する。
【０１０１】
ステップＳ３１４では、情報処理装置１０１のＣＰＵ２０１は、ステップＳ３１３で作成したマップを送信する（図１７）。
【０１０２】
このように、自分の荷物が何分後に何処にあるのかを把握することが可能となることで、荷物を探す手間が省け、さらに荷物が回ってくるまで待機する必要もなくなることから、効率的に荷物の受け取りが可能となる。
【０１０３】
ステップＳ３１５では、情報処理装置１０１のＣＰＵ２０１は、荷物が取られた区間を荷物情報テーブルから取得し、当該区間をマッピングしたマップを作成する。
【０１０４】
ステップＳ３１６では、情報処理装置１０１のＣＰＵ２０１は、ステップＳ３１５で作成したマップを送信する（図１６）。
【０１０５】
このように、荷物が取られた区間を通知することで、荷物の持ち主は、どこで荷物が取られたか認識可能となる。荷物の持ち主は、自分では荷物を取っていないのに、当該通知を受け取った場合は、他人が自分の荷物を持っていったことを認識できるので、迅速に持ち去られた場合の対処が可能となる。また、どの区間で取られたかを認識できるので、持ち去った人物を特定したり、探し出したりすることも、より容易になる。
【０１０６】
次に、ステップＳ３０３−２でＹＥＳと判定された場合、すなわち、一人の搭乗客が複数の荷物を管理している場合の処理について、図１９のフローチャートを用いて説明する。
【０１０７】
ステップＳ１９０１では、情報処理装置１０１のＣＰＵ２０１は、取得した荷物情報について、すべて撮影済みであるか、すなわち、すべての荷物が搬出路に乗せられたか否かを判断する。撮影済みであるか否かは、撮影フラグやＸ座標・Ｙ座標の値に基づき判断する。
【０１０８】
すべて撮影済みである場合（ステップＳ１９０１：ＹＥＳ）は、処理をステップＳ１９０３に移行する。
【０１０９】
撮影済みでない荷物（搬出路に乗せられていない荷物）がある場合（ステップＳ１９０１：ＮＯ）は、処理をステップＳ１９０２に移行する。
【０１１０】
ステップＳ１９０２では、情報処理装置１０１のＣＰＵ２０１は、荷物の持ち主に対して、搬出路上に乗せられた荷物の個数と、乗せられていない荷物の個数とを認識できるよう通知する。
【０１１１】
ステップＳ１９０２における通知画面の一例を図２１に示す。
【０１１２】
ステップＳ１９０３では、情報処理装置１０１のＣＰＵ２０１は、搬出路上から取られた（ピックアップされた）荷物があるかを判定する。具体的には、荷物情報における荷物の有無の項目に基づき判定する。
【０１１３】
搬出路から取られた荷物がある場合、すなわち荷物の有無の項目が「無」の荷物がある場合（ステップＳ１９０３：ＹＥＳ）は、処理をステップＳ１９０９に移行する。
【０１１４】
搬出路から取られた荷物がない場合（ステップＳ１９０３：ＮＯ）は、処理をステップＳ１９０４に移行する。
【０１１５】
ステップＳ１９０４では、情報処理装置１０１のＣＰＵ２０１は、全ての荷物の搬出路上の位置を特定する。特定の方法は、ステップＳ３０９、Ｓ３１０の処理と同様である。
【０１１６】
ステップＳ１９０５では、情報処理装置１０１のＣＰＵ２０１は、ステップＳ１９０４で特定された位置をマッピングした通知画面を作成する。
【０１１７】
ステップＳ１９０６では、情報処理装置１０１のＣＰＵ２０１は、ステップＳ１９０５でマッピングされた荷物同士のそれぞれの間隔を求め、最も広い間隔を特定する。
【０１１８】
ステップＳ１９０７では、情報処理装置１０１のＣＰＵ２０１は、ステップＳ１９０６で特定された最も広い間隔を形成する２つの荷物のうち、後方の荷物を特定する。当該荷物が、効率的に荷物をピックアップする際に最初にピックアップすべき荷物となる。同じ位置で全ての荷物をピックアップする場合、最も広い間隔の後方の荷物を最初にピックアップすることで、最初の荷物をピックアップしてから、最後の荷物（全ての荷物）をピックアップするまでの要する時間が最も短くなるためである。
【０１１９】
そして、ステップＳ１９０５で作成された画面において、特定した荷物については識別可能に表示されるよう処理する。
【０１２０】
ステップＳ１９０８では、情報処理装置１０１のＣＰＵ２０１は、荷物の位置と、最初にピックアップすべき荷物を表示した画面を、当該荷物の持ち主に送信する。
【０１２１】
ステップＳ１９０８で送信される画面の一例を図２２に示す。
【０１２２】
次に、ステップＳ１９０３でＹＥＳと判断された場合、すなわち搬出路上からピックアップされた荷物がある場合の処理について説明する。
【０１２３】
ステップＳ１９０９では、情報処理装置１０１のＣＰＵ２０１は、ピックアップされた区間を荷物情報から取得する。
【０１２４】
ステップＳ１９１０では、情報処理装置１０１のＣＰＵ２０１は、ステップＳ１９０９で取得した区間に搬出路上にある荷物（ピックアップされていない荷物）が到達する時刻を算出する。
【０１２５】
具体的には、搬出路上にある荷物における次カメラの情報と、カメラ情報テーブル（図８）に登録された各カメラ間の所要時間とを用いて、ピックアップされた区間までの所要時間を算出する。
【０１２６】
ステップＳ１９１１では、情報処理装置１０１のＣＰＵ２０１は、ステップＳ１９１０で算出した残り荷物の到達時刻等を当該荷物の持ち主に通知する。
【０１２７】
ステップＳ１９１１における通知画面の一例を図２３に示す。
【０１２８】
図２１は、ステップＳ１９０２において通知される画面の一例を示す図である。
【０１２９】
図２１に示すように、搬出路に乗せられた荷物の個数（図２１の例では２個）と、まだ乗せられていない個数（図２１の例では５個）とが表示されている。
【０１３０】
図２２は、ステップＳ１９０８において通知される画面の一例を示す図である。
【０１３１】
図２２に示すように、それぞれの荷物の位置が搬出路のイメージ図上に配置され、どの荷物からピックアップするのが効率的なのかが認識可能に表示されている。
【０１３２】
また、最初の荷物をピックアップしてから、最後の荷物（全ての荷物）をピックアップし終わるまでに要する時間（最初の荷物の位置に、最後の荷物が到達するまでの時間）も通知される。この時間は、最初にピックアップする荷物と最後にピックアップされる荷物（最も広い間隔を形成する荷物の前方側の荷物）との距離と、搬出路の移動速度とに基づき求められる。
【０１３３】
このように、最初にピックアップすべき荷物を認識できるように通知することで、搭乗者は効率的に荷物のピックアップをすることが可能となる。また、全てに荷物を取り終えるのにどの程度の時間がかかるのかを把握することが可能となる。
【０１３４】
図２３は、ステップＳ１９１１において通知される画面の一例を示す図である。
【０１３５】
図２３に示すように、荷物がピックアップされた区間（受取区間）が認識可能に表示され、搬出路上のピックアップされていない荷物について、当該受取区間に到達するまでの時間が表示されている。
【０１３６】
これにより、搭乗者は、自分の荷物があとどれくらいの時間で目の前に来るのかを認識でき、荷物の取り逃しを防ぐことが可能となる。
【０１３７】
図２５は、図２１に示す情報と図２３に示す情報の両方が表示された画面の一例である。フローチャートにおいては不図示であるが、搬出路に乗せられていない荷物がある状態において、既にピックアップされた荷物がある場合に、搬出路に乗せられた荷物が受取区間に到達するまでの時間を表示したものである。
【０１３８】
図２５に示すように、荷物の総数（７個）と、搬出路上に乗せられた荷物の数（３個）と、まだ搬出路に乗せられていない荷物の数（４個）と、搬出路に乗せられたそれぞれの荷物が受取区間に到達するまでの時間と、が表示されている。
【０１３９】
図２６は、すべての荷物がピックアップされた場合の通知画面である。ステップＳ１９１１において、全ての荷物がピックアップされていた場合に通知される。また、ステップＳ２０７における通知も、図２６と同様の内容となる。
【０１４０】
次に、図２０のフローチャートを用いて、荷物を取り逃した場合の通知処理について説明する。
【０１４１】
ステップＳ２００１では、情報処理装置１０１のＣＰＵ２０１は、ピックアップ済みの荷物情報を図７の荷物情報テーブルから取得する。
【０１４２】
ステップＳ２００２では、情報処理装置１０１のＣＰＵ２０１は、ステップＳ２００１で取得した荷物情報から、荷物がピックアップされた区間の情報（取られた区間の項目の情報）を取得する。
【０１４３】
ステップＳ２００３では、情報処理装置１０１のＣＰＵ２０１は、ステップＳ２００２で取得した区間の次の区間において、同一の持ち主の他の荷物を検出（認識）したか否かを判断する。
【０１４４】
例えば、搭乗者ＩＤ：００２の乗客が荷物コード：３０７、３０８、３０９、３１０の４つの荷物の持ち主であるとする。そして、荷物コード：３０７、３０８、３０９の３つの荷物を、Ａ２−Ａ３区間（カメラＩＤ：Ａ２のカメラとカメラＩＤ：Ａ３のカメラの間の区間）でピックアップしたとする。この場合において、３０７〜３０９の荷物をピックアップしたあとに、荷物コード：３１０の荷物をＡ３−Ａ４区間（Ａ２−Ａ３区間の次の区間）で認識された場合は、持ち主が３１０の荷物に気づかずに取り逃してしまったものといえる。
【０１４５】
そこで、ステップＳ２００３の判断処理により、取り逃してしまったことを検知する。
【０１４６】
次の区間で荷物を検出したと判定された場合（ステップＳ２００３：ＹＥＳ）は、処理をステップＳ２００４に移行する。次の区間で荷物を検出しない場合（ステップＳ２００３：ＮＯ）は、本フローチャートの処理を終了する。
【０１４７】
ステップＳ２００４では、情報処理装置１０１のＣＰＵ２０１は、取り逃したと判断された荷物の持ち主の搭乗者ＩＤを図６の搭乗者情報テーブルから取得する。
【０１４８】
ステップＳ２００５では、情報処理装置１０１のＣＰＵ２０１は、ステップＳ２００５で取得した搭乗者ＩＤに対応付けられたメールアドレスを取得する。
【０１４９】
ステップＳ２００６では、情報処理装置１０１のＣＰＵ２０１は、ステップＳ２００５で取得したメールアドレス宛に、取り逃した荷物がある旨の通知を送信する。ステップＳ２００６で送信される情報の一例を、図２４に示す。
【０１５０】
図２４は、ステップＳ２００６における通知において表示される画面である。
【０１５１】
図２４に示すように、受取区間を通り過ぎた荷物がある旨の表示がなされている。また、通り過ぎた荷物が次に受取区間に到達するまでの時間が表示される。この時間は、搬出路を１周するのに要する時間から算出される。
【０１５２】
この通知により、次に自分の前に自分の荷物が来るまでの時間を把握することができるので、常に注意して荷物を探している必要がなく、利便性が向上する。
また、荷物の取り忘れを防ぐことも可能となる。
【０１５３】
図６は、搭乗者情報が登録された搭乗者情報テーブルの一例を示す図である。
【０１５４】
搭乗者情報は、搭乗者コード（ＩＤ）と、メールアドレスと、通知設定と、搭乗便、荷物コード等の情報から構成される。
【０１５５】
メールアドレスは、搭乗者に対して電子メールにて荷物情報を通知する際に用いられる。例えばステップＳ１１０やＳ２０７などの処理で用いられる。
【０１５６】
通知設定は、電子メールによる通知をするか否かを示す情報である。ＯＮとなっている場合に、ステップＳ１１０やＳ２０７において電子メールで通知がなされる。
【０１５７】
搭乗便は、搭乗者が搭乗している航空便を識別する情報である。
【０１５８】
荷物コードは、搭乗者が管理する荷物の識別情報であり、荷物情報テーブル（図７）におけるいずれの荷物を管理しているのかを示す情報である。例えば図７の例では、搭乗者コード００１で識別される搭乗者は、荷物コード３０１、３０２、３０３、３０４、３０５、３０６の６個の荷物を管理していることを意味する。
【０１５９】
図７は、荷物情報が登録された荷物情報テーブルの一例を示す図である。
【０１６０】
荷物情報は、荷物コード、搭乗便、撮影フラグ、Ｘ座標・Ｙ座標、次カメラ、次カメラ到達時刻、荷物の有無、荷物を取られた区間、荷物認識時刻などの情報から構成される。
荷物コードは、荷物を識別する情報である。
【０１６１】
搭乗便は、当該荷物の持ち主が搭乗する搭乗便を識別する情報である。
【０１６２】
撮影フラグは、荷物がレーン上のネットワークカメラ１０２によって撮影されたか否かを示すフラグである。一度でも撮影された場合は「１」が登録され、まだ撮影されていない場合は「０」が設定されている。
【０１６３】
Ｘ座標・Ｙ座標は、ネットワークカメラ１０２によって撮影された画像における二次元コードが映っている位置を示す情報であり、撮影される度に登録・更新されるものである。
【０１６４】
次カメラは、レーン上のネットワークカメラのうち、次に当該荷物を撮影するカメラを示す情報である。例えば、Ａ１のネットワークカメラで撮影された場合は、次カメラはＡ２のカメラとなる。次カメラの情報は、カメラ情報テーブル（図８）に登録された情報に基づき設定される。
【０１６５】
次カメラ到達時刻は、次カメラによって荷物が撮影されるであろう時刻である。カメラ情報テーブルの次カメラまでの時間と、次カメラの情報とから算出される。
【０１６６】
荷物の有無は、レーン上に荷物が乗っているかを示す情報である。レーン上に荷物が乗っている場合は「有」が設定されている。「有」の状態とは、レーンにおける最初のネットワークカメラで撮影済みであり、かつレーン上から取られていない状態を意味する。他方、「無」とは、レーン上から荷物が取られたことを意味する。
【０１６７】
取られた区間は、荷物が取られた区間を示す情報である。例えばＡ３のネットワークカメラで撮影されたにもかかわらず、次カメラであるＡ４のネットワークカメラで撮影されなかった場合には、荷物が取られたと判断され、「無」が登録される。
【０１６８】
荷物認識時刻は、最後にネットワークカメラ１０２に荷物が撮影された時刻が登録される。
【０１６９】
図８は、カメラ情報が登録されたネットワークカメラテーブルの一例を示す図である。
【０１７０】
カメラ情報は、カメラＩＤ、最初フラグ、ＩＰアドレス、次カメラ、次カメラまでの時間などの情報から構成される。
【０１７１】
カメラＩＤは、ネットワークカメラを識別するための情報である。
【０１７２】
最初フラグは、レーンにおける最初のカメラであるかを示す情報である。「１」が登録されているネットワークカメラがレーンの最初のカメラであることを意味している。
【０１７３】
ＩＰアドレスは、ネットワークカメラのＩＰアドレスである。
【０１７４】
次カメラの項目には、レーンにおいて当該ネットワークカメラの次に位置するネットワークカメラのカメラＩＤが登録されている。例えばＡ１のネットワークカメラの次カメラはＡ２であることを意味している。次のネットワークカメラとは、レーンの進行方向に進んで次にあるネットワークカメラである。
【０１７５】
次カメラまでの時間の項目には、次のネットワークカメラまでレーン上の荷物が移動するのに、どれだけの時間かかるかが登録されている。
【０１７６】
例えばＡ１からＡ２までは３分間かかることを意味している。
【０１７７】
図９は、航空便の情報が登録された便情報テーブルの一例を示す図である。
【０１７８】
航空便情報は、便ＩＤ、レーン、到着時刻、準備完了時刻などの情報から構成される。
便ＩＤは、航空便を識別する情報である。
【０１７９】
レーンは、当該航空便に積載された荷物が載せられるレーンを示す情報である。
到着時刻は、当該航空便が到着する予定時刻である。
【０１８０】
準備完了時刻は、航空便に積載された荷物がレーンに載せれられて出てくる予定時刻である。
【０１８１】
図１０は、レーンの周回時間が登録されたテーブルの一例を示す図である。
レーン毎に、荷物が１周する時間が登録されている。
【０１８２】
図１１は、レーンの周回速度が登録されたテーブルの一例を示す図である。
レーン毎に、周回速度が登録されている。
【０１８３】
図１２は、ステップＳ３０７において表示される画面の一例を示す図である。図１２に示すように、荷物準備中である旨が記載されている。
【０１８４】
また、準備が整った場合（レーンに出てきたとき）にメールにてその旨の通知を受けたい場合には、ボタン１２０１を押下することで、メール通知を受けるよう設定することも可能となる。
【０１８５】
図１３は、ステップＳ２０７において搭乗者に対して送信されるメールの一例を示した図である。
【０１８６】
図１３に示すように、ステップＳ２０７では、荷物が持ち去られた旨の通知がなされる。具体的には、荷物コード、取られた時刻、取られたレーン情報が記載されている。
【０１８７】
また、メールに記載されたＵＲＬにアクセスすることで、取られた区間を示す画面が表示される。取られた区間を示す画面については、図１６に一例を示す。
【０１８８】
図１４は、ステップＳ１０１において搭乗者が荷物情報の取得要求を出す際に用いられる端末１０３に表示される画面の一例である。
【０１８９】
ＩＤ、パスワード欄に搭乗者ＩＤとパスワードを入力し、ログインボタンを押下することで、情報処理装置１０１に対して搭乗者ＩＤなどの情報が送信される。
【０１９０】
また、撮影開始ボタンを押下することで、端末１０３のカメラ機能が動作し、搭乗者が所持する二次元コードを読み込ませることでも、情報処理装置１０１に対して搭乗者ＩＤ（二次元コードから取得されるＩＤ）などの情報が送信されるものとする。
【０１９１】
図１５は、カメラＡ３とカメラＡ４の間の区間において、荷物がレーンから取られたことを示す図である。
【０１９２】
この場合、ステップＳ２０７において図１３に一例を示す電子メールが搭乗者に対して送信される。そして、電子メールに含まれるＵＲＬにアクセスすると、図１６に示す図が端末１０３に表示される（Ｓ３１５、Ｓ３１６）。
【０１９３】
図１６は、矢印１６０１で示す区間（斜線部分で示す区間）において、荷物が取られたことを通知する画面である。
【０１９４】
このように、荷物が取られたことを通知することで、他人が誤って自分の荷物を取っていった場合にも、すぐに気づくことが可能となる。また、荷物が取られた区間を通知することで、どのあたりで取られたのかを把握することが可能となり、自分の荷物を取っていった人物を見つけることが容易となる。
【０１９５】
図１７は、荷物の現在位置と所定時間後の位置とがマッピングされた画面の一例である。
【０１９６】
図１７の例では、現在位置と５分後の位置と１０分後の位置が表示されている。また、２０分後、２５分後、３０分後、４０分後、４５分後、５０分後の位置についても表示している。
【０１９７】
２０分後、４０分後の位置は、２周目、３周目において、現在位置と同じ場所に戻ってくることを意味している。同様に、２周目、３周目には、２５分後、４５分後に、５分後の位置と同じ場所に戻ってくることを意味している。３０分後、５０分後も同様である。
【０１９８】
以上のように、本発明によれば、手荷物の数が多い場合にも、荷物の取り忘れを防いだり、効率的に荷物の受取りが可能となる。
【０１９９】
例えば、修学旅行において生徒の荷物を教員が管理する荷物として登録しておくことで、教員は、生徒全員が荷物を取り終えたのか、全員が荷物を取り終えるまでにどの程度時間がかかるのかを把握することが可能となる。
【０２００】
なお、上述した各種データの構成及びその内容はこれに限定されるものではなく、用途や目的に応じて、様々な構成や内容で構成されることは言うまでもない。
【０２０１】
また、本発明におけるプログラムは、図３〜図４、図１９、図２０の処理をコンピュータに実行させるプログラムである。なお、本発明におけるプログラムは、図３〜図４、図１９、図２０の各処理ごとのプログラムであってもよい。
【０２０２】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【０２０３】
この場合、記録媒体から読み出されたプログラム自体が本発明の新規な機能を実現することになり、そのプログラムを記録した記録媒体は本発明を構成することになる。
【０２０４】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【０２０５】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０２０６】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０２０７】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０２０８】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【０２０９】
１０１  情報処理装置
１０２  ネットワークカメラ
１０３  端末
１０４  レーン
１０５  荷物
１０６  二次元コード
【図１】
2018136948.tif 000003
【図２】
2018136948.tif 000004
【図３】
2018136948.tif 000005
【図４】
2018136948.tif 000006
【図５】
2018136948.tif 000007
【図６】
2018136948.tif 000008
【図７】
2018136948.tif 000009
【図８】
2018136948.tif 000010
【図９】
2018136948.tif 000011
【図１０】
2018136948.tif 000012
【図１１】
2018136948.tif 000013
【図１２】
2018136948.tif 000014
【図１３】
2018136948.tif 000015
【図１４】
2018136948.tif 000016
【図１５】
2018136948.tif 000017
【図１６】
2018136948.tif 000018
【図１７】
2018136948.tif 000019
【図１８】
2018136948.tif 000020
【図１９】
2018136948.tif 000021
【図２０】
2018136948.tif 000022
【図２１】
2018136948.tif 000023
【図２２】
2018136948.tif 000024
【図２３】
2018136948.tif 000025
【図２４】
2018136948.tif 000026
【図２５】
2018136948.tif 000027
【図２６】
2018136948.tif 000028
【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
荷物が搬出される搬出路を撮影する撮影装置と通信可能な情報処理装置であって、
荷物とその持ち主を示す情報とを対応付けて記憶する記憶手段と、
前記撮影装置により撮影された画像を取得する画像取得手段と、
前記画像取得手段により取得された画像を解析することで、前記搬出路上の荷物を認識する認識手段と、
前記持ち主に対応付けられた荷物のうち、搬出路上で認識された荷物と、搬出路上で認識されていない荷物とを、識別可能に、当該持ち主に対して通知する通知手段と、
を備えることを特徴とする情報処理装置。
【請求項２】
前記画像取得手段により取得した画像に基づき、前記搬出路上の複数の荷物におけるそれぞれの荷物の間隔を算出する荷物間隔算出手段をさらに備え、
前記通知手段は、前記荷物間隔算出手段により算出された荷物の間隔に基づき、いずれの荷物から取れば効率的に全ての荷物を取ることができるかを認識可能に通知することを特徴とする請求項１に記載の情報処理装置。
【請求項３】
荷物が搬出される搬出路を撮影する撮影装置と通信可能な情報処理装置であって、
荷物とその持ち主を示す情報とを対応付けて記憶する記憶手段と、
前記撮影装置により撮影された画像を取得する画像取得手段と、
前記画像取得手段により取得した画像に基づき、搬出路から荷物が取られたかを判定する判定手段と、
前記画像取得手段により取得した画像に基づき、荷物が取られた搬出路上の位置を特定する位置特定手段と、
前記搬出路が荷物を搬出する速度と、現時点の荷物の位置とに基づき、前記位置特定手段により特定された荷物が取られた位置に、当該荷物の同一の持ち主の他の荷物が到達するまでの時間を算出する到達時間算出手段と、
前記到達時間算出手段により算出された時間を通知する通知手段と、
を備えることを特徴とする情報処理装置。
【請求項４】
前記位置特定手段は、荷物が取られた搬出路上の区間を特定することを特徴とし、
前記通知手段は、さらに、前記位置特定手段により特定された前記荷物が取られた区間の次の区間において、当該取られた荷物と同一の持ち主の他の荷物が認識された場合、当該持ち主に対して、取り逃した荷物がある旨の通知をすることを特徴とする請求項３に記載の情報処理装置。
【請求項５】
前記通知手段は、さらに、
前記持ち主に対応付けられた全ての荷物が取られた場合にその旨の当該持ち主に対して通知することを特徴とする請求項１乃至４のいずれか１項に記載の情報処理装置。
【請求項６】
荷物が搬出される搬出路を撮影する撮影装置と通信可能な情報処理装置であって、荷物とその持ち主を示す情報とを対応付けて記憶する情報処理装置における情報処理方法であって、
前記情報処理装置の画像取得手段が、前記撮影装置により撮影された画像を取得する画像取得工程と、
前記情報処理装置の認識手段が、前記画像取得工程により取得された画像を解析することで、前記搬出路上の荷物を認識する認識工程と、
前記情報処理装置の通知手段が、前記持ち主に対応付けられた荷物のうち、搬出路上で認識された荷物と、搬出路上で認識されていない荷物とを、識別可能に、当該持ち主に対して通知する通知工程と、
を備えることを特徴とする情報処理方法。
【請求項７】
荷物が搬出される搬出路を撮影する撮影装置と通信可能な情報処理装置であって、荷物とその持ち主を示す情報とを対応付けて記憶する情報処理装置において実行可能なプログラムであって、
前記情報処理装置を、
前記撮影装置により撮影された画像を取得する画像取得手段と、
前記画像取得手段により取得された画像を解析することで、前記搬出路上の荷物を認識する認識手段と、
前記持ち主に対応付けられた荷物のうち、搬出路上で認識された荷物と、搬出路上で認識されていない荷物とを、識別可能に、当該持ち主に対して通知する通知手段として機能させることを特徴とするプログラム。
【請求項８】
荷物が搬出される搬出路を撮影する撮影装置と通信可能な情報処理装置であって、荷物とその持ち主を示す情報とを対応付けて記憶する情報処理装置における情報処理方法であって、
前記情報処理装置の画像取得手段が、前記撮影装置により撮影された画像を取得する画像取得工程と、
前記情報処理装置の判定手段が、前記画像取得工程により取得した画像に基づき、搬出路から荷物が取られたかを判定する判定工程と、
前記情報処理装置の位置特定手段が、前記画像取得工程により取得した画像に基づき、荷物が取られた搬出路上の位置を特定する位置特定工程と、
前記情報処理装置の到達時間算出手段が、前記搬出路が荷物を搬出する速度と、現時点の荷物の位置とに基づき、前記位置特定工程により特定された荷物が取られた位置に、当該荷物の同一の持ち主の他の荷物が到達するまでの時間を算出する到達時間算出工程と、
前記情報処理装置の通知手段が、前記到達時間算出工程により算出された時間を通知する通知工程と、
を備えることを特徴とする情報処理方法。
【請求項９】
荷物が搬出される搬出路を撮影する撮影装置と通信可能な情報処理装置であって、荷物とその持ち主を示す情報とを対応付けて記憶する情報処理装置において実行可能なプログラムであって、
前記情報処理装置を、
前記撮影装置により撮影された画像を取得する画像取得手段と、
前記画像取得手段により取得した画像に基づき、搬出路から荷物が取られたかを判定する判定手段と、
前記画像取得手段により取得した画像に基づき、荷物が取られた搬出路上の位置を特定する位置特定手段と、
前記搬出路が荷物を搬出する速度と、現時点の荷物の位置とに基づき、前記位置特定手段により特定された荷物が取られた位置に、当該荷物の同一の持ち主の他の荷物が到達するまでの時間を算出する到達時間算出手段と、
前記到達時間算出手段により算出された時間を通知する通知手段として機能させるためのプログラム。